(57)【要約】      （修正有）【課題】電子機器の外装部材どうしの締結に関し、外装カバーの組み込み方向を限定せずに、カバー間の隙間を小さくする。【解決手段】カバーＡ３０１およびカバーＢ３０２と、カバーＡ３０１とカバーＢ３０２とを固定するための固定板金３０５が設けられ、カバーＡ３０１はカバーＢ３０２と固定板金３０５との間に配置されてビス締め穴を介して締結されており、カバーＡ３０１のビス締め穴の内側にテーパー５０２を設けたことを特徴とする外装部材の締結機構。【選択図】図５
2010096234.tif 000002
【特許請求の範囲】
【請求項１】
第１のカバーおよび第２のカバーと、前記第１のカバーと第２のカバーとを固定するための固定部材が設けられ、前記第１のカバーは前記第２のカバーと固定部材との間に配置されてビス締め穴を介して締結されており、前記第１のカバーのビス締め穴の内側にテーパーを設けたことを特徴とする外装部材の締結機構。
【請求項２】
前記第１のカバーのビス締め穴に設けられたテーパーは穴の中心線に対して片側にのみテーパーを設けることを特徴とする請求項１に記載の外装部材の締結機構。
【請求項３】
前記第１のカバーのビス締め穴は、前記第２のカバーのビス締め穴とその直径が同じか、もしくはより大きい穴であることを特徴とする、請求項１に記載の外装部材の締結機構。
【請求項４】
前記第１のカバーのビス締め穴の周辺に、摺動のための凸形状を設けたことを特徴とする請求項１から３に記載の外装部材の締結機構。
【発明の詳細な説明】
【技術分野】
【０００１】
本発明は電子機器の外装部材どうしの締結により、カバーの隙間を管理するための外装部材の締結機構に関するものである。
【背景技術】
【０００２】
従来の電子機器について、図８を用いて説明する。図８は外装部材の締結における締結部の断面図を示しており、カバーＸ８０１とカバーＹ８０２を締結するためにビス８０４を用い、カバーＸに設けられた穴８０５と、カバーＹに設けられた穴８０６を通り、固定板金８０３に設けられた雌ネジに固定している。
【０００３】
このとき、カバーＹに設けられた穴８０６はカバーＸに設けられた穴８０５と同一の穴径にする。そうすると内部部品の反発や部品寸法のバラツキにより、部品組立時に、カバーＸに設けられた穴８０５と、カバーＹに設けられた穴８０６の穴中心の位置がずれることにより、ビスがカバーにあたり、組み込みができなくなる場合がある。このため、カバーＹに設けられた穴８０６の穴径は、カバーＸに設けられた穴８０５の穴径より大きくすることで穴の位置ズレによってビスがカバーに当り、挿入できなくなることを防いでいた。
【０００４】
また、特許文献１に開示されているように、第１の部材と第２の部材を締結する締結機構において、第１の部材には、カバーの位置決め用の凸形状が設けられ、第２の部材には第１の部材に設けられた凸形状が位置決めされる穴が設けられている。このように凸形状と凹形状が勘合することによりカバーの位置が決まり、カバーの位置合せを行うものがあった。
【特許文献１】特開２００２−３７２０１４
【発明の開示】
【発明が解決しようとする課題】
【０００５】
しかしながら、従来の締結機構の構造では図８のカバーＹに設けられた穴８０６の径が大きいため、内部の部品の反力により、カバーＹ８０２が、カバーＸ８０１から離れる方向に力が加わり、隙間８０７が発生する問題があった。
【０００６】
また、特許文献１に開示されているように第１のカバーから凸形状を作成すると、カバーの組み付け方向が限定され、第１のカバーを第２のカバーに沿ってスライドさせて組むことができなくなってしまう。
本発明は、以上のような局面にかんがみてなされたもので、カバーの組み込み方向を限定せずに、カバー間の隙間を小さくするための手段の提供を目的としている。
【課題を解決するための手段】
【０００７】
上記目的を達成するため、本発明の外装部材の締結機構は、第１のカバーおよび第２のカバーと、前記第１のカバーと第２のカバーとを固定するための固定部材が設けられ、前記第１のカバーは前記第２のカバーと固定部材との間に配置されてビス締め穴を介して締結されており、前記第１のカバーのビス締め穴の内側にテーパを設けたことを特徴とする。
【０００８】
また、本発明の他の特徴とするところは、前記第１のカバーのビス締め穴に設けられたテーパーは穴の中心線に対して片側にのみテーパーを設けることを特徴とする。
また、本発明の他の特徴とするところは、前記第１のカバーのビス締め穴は、前記第２のカバーのビス締め穴とその直径が同じか、もしくはより大きい穴であることを特徴とする。
【０００９】
また、本発明の他の特徴とするところは、前記第１のカバーのビス締め穴の周辺に、摺動のための凸形状を設けたことことを特徴とする。
【発明の効果】
【００１０】
以上説明したように、本発明によれば、ビスの締結により、カバーの位置を規制することで、第１のカバーと第２のカバーとの隙間を小さくすることができる。
【発明を実施するための最良の形態】
【００１１】
（実施例１）
次に本発明の実施の形態を図１に基づき説明する。尚、本発明では外装部材の締結機構が設けられた撮像装置の１つであるカムコーダを用いて実施例の説明をする。
１０１は撮像レンズ部を示している。１０２は記録媒体を内部に収納するための記録部であり、カバーの開閉により記録媒体を取り出すことができる。１０３は表示部であり、撮像装置で撮影した画像を表示することができる。１０４は操作部であり１０５はズームキーである。この操作部１０４とズームキー１０５を使用して撮影の設定や、被写体の大きさなどを決定する。１０６はバッテリであり、撮像装置に電源を供給する。
【００１２】
次に図２に、図１に示した撮像装置に係わるブロック図を示す。
２０１は撮像レンズであり、撮像レンズ２０１からの光を撮像センサ２０２により光電変換し信号処理回路２０３にて映像処理を行う。このデータをマイコン２０４により記録部２０５に記録する。同時に表示部２０６に撮像レンズ２０１にて撮像された画像を表示する。また、操作部２０７により情報を入力する。
【００１３】
次に図３に図１、図２で示した撮像装置の外観を覆うカバーについて説明する。
図３は図１に示した撮像装置を底面側から見た分解図である。外装カバーＡ（第１のカバー）３０１は図１に示した撮像装置の表示部１０３側を覆うカバーであり、カバーＢ（第２のカバー）３０２は、図１に示した撮像装置の記録部１０２側を覆うカバーである。り、カバーＣ３０３は図１に示した撮像装置のレンズ１０１側を覆うカバーであり、カバーＤ３０４は、図１に示した撮像装置のバッテリー１０６側を覆うカバーである。
【００１４】
図１に記載の撮像装置は、この３０１〜３０４の４つのカバーにより外観部が覆われている。また、固定板金（固定部材）３０５は図１に示した撮像装置の内部部品に固定された板金である。
【００１５】
次にカバーＡ〜Ｄ３０１〜３０４の組立について説明する。
カバーＡ３０１、カバーＣ３０３、カバーＤ３０４はそれぞれ矢印Ａ３０６、矢印Ｃ３０８、矢印Ｄ３０９の方向に組み込む。そして、カバーＢ３０２を矢印Ｂ３０７の方向に組み込み、固定板金３０５にビスを用い固定する。このとき、カバーＡ，Ｃ，ＤはカバーＢと固定板金３０５との間に共締めされる。
【００１６】
次に図４にカバーＡの詳細形状について、図３の円ａ部の拡大図を示す。
カバーＡの穴４０１は、図３のカバーＡ３０１に設けられたビス締め穴であり、カバーＡの穴４０１の周辺には、摺動のための凸形状である摺動リブ４０２が設けられている。この摺動リブはカバーＡの穴４０１を挟んで、カバーＡ３０１とカバーＢ３０２の合せライン４０３に対し、略垂直に配置され、更に、摺動リブ４０２は複数配置され、互いに平行である。
【００１７】
また、カバーＡ３０１とカバーＢ３０２を締結する際に、摺動リブ４０２により、カバーＡ３０１とカバーＢ３０２の接触面積を減らし摩擦抵抗を減らすことが可能となっており、カバーＡ３０１の特にＢ方向への動きを容易にすることが可能である。
【００１８】
次に図５に図４のａ部断面図Ｃ−Ｃを示す。
５０５はカバーＡの穴４０１の中心線Ａであり、５０６はカバーＢの穴５０１と、固定板金３０５の中心線Ｂである。
【００１９】
図５では、中心線Ａ５０５と中心線Ｂ５０６の位置がずれている状態を示しており、カバー同士の隙間５０３は大きく開いている。
【００２０】
カバーＡに設けられた穴４０１の直径はカバーＢに設けられたビス締め穴の直径５０１と同一か、もしくはそれより小さい穴である。
【００２１】
このとき、カバーＡに設けられた穴４０１の内側にはテーパー５０２が設けられている。テーパー５０２は、カバーＢ３０２側の片側にのみ設けられており、テーパー上部開口部５０４はカバーＢの穴５０１よりも大きくなっており、図５に示すようにカバーＡの穴４０１がずれた状態でもビスの挿入が可能である。
【００２２】
図６はカバーＡ３０１とカバーＢ３０２を組み込み、ビス６０１を差し込んでいる途中の図であり、テーパー５０２にビス６０１が当った状態を示している。
【００２３】
このとき、例えば、弾性を有する内部部品の反力等により、カバーＡ３０１はカバーＢ３０２から離れる方向に力が加わっているため、中心線Ａ５０５と中心線Ｂ５０６の位置はズレている。このためカバー同士の隙間５０３は大きく開いている。
【００２４】
上記各カバーの穴中心がズレた状態で、の中心線Ｂ５０５に沿ってビス５０６を締めこむと、テーパー５０２にビス６０１の先端が当る。更にビスを差し込む方向に力を加えると、カバーＡ３０１に引き込み力６０５が発生し、カバーＡ３０１がカバーＢ３０２に近寄る方向に引き寄せられる。これにより図７に示すように、中心線Ａ５０５と中心線Ｂ５０６が一致し、カバー同士の隙間５０３を小さくすることができる。
【図面の簡単な説明】
【００２５】
【図１】本発明の撮像装置全体を示す図
【図２】本発明の撮像装置のブロック図
【図３】本発明の撮像装置の分解図
【図４】図３の円ａ部の拡大図
【図５】カバー共締め部拡大図（ビス締め前）
【図６】カバー共締め部拡大図（ビス締め途中）
【図７】カバー共締め部拡大図（ビス締め後）
【図８】従来例を示す図
【符号の説明】
【００２６】
１０１  レンズ
１０２  記録部
１０３  表示部
１０４  操作部
１０５  ズームキー
１０６  バッテリ
３０１  カバーＡ
３０２  カバーＢ
３０３  カバーＣ
３０４  カバーＤ
３０５  固定板金
３１０  内部部品
４０１  カバーＡの穴
４０２  摺動リブ
４０３  合せライン
５０１  カバーＢの穴径
５０２  テーパ−
５０３  隙間        
５０４  テーパー上部開口部
５０５  中心線Ａ
５０６  中心線Ｂ
６０１  ビス
【図１】
2010096234.tif 000003
【図２】
2010096234.tif 000004
【図３】
2010096234.tif 000005
【図４】
2010096234.tif 000006
【図５】
2010096234.tif 000007
【図６】
2010096234.tif 000008
【図７】
2010096234.tif 000009
【図８】
2010096234.tif 000010